(57)【要約】本技術は一般に、解剖学的開口を閉じる装置、システム及び方法に関する。いくつかの実施形態では、動脈瘤装置が、動脈瘤に近接する部位に血管内送達可能である。動脈瘤装置は閉鎖構造物を含む。閉鎖構造物は、動脈瘤を少なくとも部分的に閉塞するべく構成された遠位方向面と動脈の複数の内腔を覆うようにアーチを描くべく構成された近位方向面とを有する。本装置はさらに、閉鎖構造物に接続された追加安定器を含む。追加安定器は、動脈内に存在してその内腔壁を外向きに押圧するべく構成される。所定の実施形態では、本装置はまた、閉鎖構造物の遠位方向面の少なくとも一部分に広がる隔離壁を含むこともできる。隔離壁は、動脈瘤の頸状部をさらに閉塞するべく構成される。さらなる実施形態では、閉鎖構造物は、動脈瘤への又は動脈瘤からの流れを制限すべく及び／又はそらすべく構成することもできる。
2014533137.tif 000002
【特許請求の範囲】
【請求項１】
動脈瘤に近接する部位に血管内送達可能な動脈瘤装置であって、
前記動脈瘤を少なくとも部分的に閉塞するべく構成された遠位方向面と動脈の内腔を覆うようにアーチを描くべく構成された近位方向面とを含む閉鎖構造物と、
前記閉鎖構造物に接続された追加安定器であって、前記動脈内に存在して前記動脈の内腔壁を外向きに押圧するべく構成された追加安定器と、
前記閉鎖構造物の遠位方向面の少なくとも一部分に広がる隔離壁であって、前記動脈瘤へのアクセスを与えるべく構成されたアパチャを中に有する隔離壁と
を含む動脈瘤装置。
【請求項２】
前記隔離壁は、前記動脈瘤への又は前記動脈瘤からの流れを制限又は禁止するべく構成された透過膜又は半透過膜を含む、請求項１に記載の動脈瘤装置。
【請求項３】
前記隔離壁はシート又はパネルの重なり合う層を含む、請求項１に記載の動脈瘤装置。
【請求項４】
前記閉鎖構造物は、複数の短手方向に対向する支持材を含み、
各支持材は、アパチャを中に有する隔離壁の材料によって別個に覆われる、請求項１に記載の動脈瘤装置。
【請求項５】
前記閉鎖構造物の遠位方向面及び隔離壁は、複合湾曲表面を形成する、請求項１に記載の動脈瘤装置。
【請求項６】
前記複合湾曲表面は双曲放物面形態を含む、請求項５に記載の動脈瘤装置。
【請求項７】
前記閉鎖構造物は、内側支持材、中間支持材及び外側支持材を含む３組の短手方向対向支持材を含み、
前記隔離壁の材料は、前記内側支持材と前記中間支持材との間にのみ延びる、請求項１に記載の動脈瘤装置。
【請求項８】
前記閉鎖構造物、追加安定器及びアパチャは、前記装置の長手方向軸を含む、請求項１に記載の動脈瘤装置。
【請求項９】
動脈瘤に近接する部位に血管内送達可能な動脈瘤装置であって、
前記動脈瘤を少なくとも部分的に閉塞するべく構成された遠位方向面を有する閉鎖構造物であって、前記遠位方向面は、複数の少なくとも部分的に重なり合うパネルを含む閉鎖構造物と、
前記閉鎖構造物に接続された追加安定器であって、前記動脈内に存在して前記動脈の内腔壁を外向きに押圧するべく構成された追加安定器と
を含む動脈瘤装置。
【請求項１０】
別個のパネルはそれぞれ枠組を含み、
別個の隔離壁の材料が前記枠組にわたって延びる、請求項９に記載の動脈瘤装置。
【請求項１１】
前記枠組は一般に三角形状である、請求項１０に記載の動脈瘤装置。
【請求項１２】
前記別個の隔離壁にはアパチャが貫通する、請求項１０に記載の動脈瘤装置。
【請求項１３】
前記複数のパネルは多数組の対向パネルを含み、
各パネルは隔離壁部分を支持し、
前記対向パネルは前記動脈に対して長手方向に整列される、請求項９に記載の動脈瘤装置。
【請求項１４】
前記別個のパネルは共通幹において一緒に結合され、
少なくとも一つのパネルは他のパネルに対して旋回可能に動くことができる、請求項９に記載の動脈瘤装置。
【請求項１５】
送達可能な構成に組み付けられる前は平坦に構成される動脈瘤閉鎖枠組であって、
一つの中心枠組部分及び２つの支持枠組部分と、
前記閉鎖構造物上の短手方向に非対称なパターンに組み入れられる放射線不透過組成物と
を含み、
前記支持枠組部分は前記中心枠組部分の対向側部に接続され、
前記中心枠組部分及び前記支持枠組部分は長手方向軸に沿って整列され、
前記中心枠組部分は、少なくとも一つの四辺形形態を形成する一組の中心突っ張り材を含み、
第１及び第２長手方向接合部が２つの長手方向頂点において前記突っ張り材を接合し、かつ、２つの短手方向接合部が短手方向軸の頂点において前記突っ張り材を接合する動脈瘤閉鎖枠組。
【請求項１６】
前記放射線不透過組成物は前記閉鎖構造物を被覆する、請求項１５に記載の動脈瘤閉鎖枠組。
【請求項１７】
前記放射線不透過組成物は前記閉鎖構造物上のドットとされる、請求項１５に記載の動脈瘤閉鎖枠組。
【請求項１８】
前記放射線不透過組成物は、前記閉鎖構造物上の短手方向及び長手方向に非対称なパターンに組み入れられる、請求項１５に記載の動脈瘤閉鎖枠組。
【請求項１９】
前記放射線不透過組成物はさらに、前記支持枠組上の短手方向に非対称なパターンに組み入れられる、請求項１５に記載の動脈瘤閉鎖枠組。
【請求項２０】
前記非対称なパターンは、異なる形状又はサイズの放射線不透過標識を含む、請求項１５に記載の動脈瘤閉鎖枠組。
【発明の詳細な説明】
【技術分野】
【０００１】
本技術は、動脈瘤頸状部の開口のような標的部位に埋め込み可能な治療装置、及び装置を血管内配置する方法に関する。
【０００２】
関連出願の相互参照
本願は、２０１１年１０月５日に出願された米国仮特許出願第６１／５４３，７８５号の利益を主張する。その全体がここに参照として組み入れられる。
【背景技術】
【０００３】
解剖学的内腔及び組織（例えば血管）、中隔欠損、並びに他のタイプの解剖学的異常及び欠陥の開口を閉鎖して欠陥を修復するべく現在利用可能な外科的アプローチの多くは、高度に侵襲的である。例えば、脳動脈瘤をクリッピングする外科的方法には、開頭し、重なる脳組織を切断又は除去し、動脈瘤を血管の外側からクリッピングかつ修復し、その後、組織を再び組み立てて頭蓋を閉じることが必要である。中隔欠損を修復する外科的技術もまた、高度に侵襲的である。これらのタイプの手順に伴う麻酔、出血及び感染症に関連するリスクは高く、かつ、当該手順の間に影響を受ける組織は、生き残って機能し続けることができるかもしれないし又はしないかもしれない。
【０００４】
血管系、脊柱、卵管、胆管、気管支及び他の空気通路等のような身体の開口又はキャビティの中に又はこれらにわたって閉塞装置を配置するための、最小限に侵襲的な外科的技術が開発されている。一般に、埋め込み可能な装置は、血管系内の標的部位に当該装置を展開するべく、押出器又は送達ワイヤを使用して送達カテーテルに沿ってかつ当該カテーテルの遠位開口を通して案内される。閉塞装置は、ひとたび標的部位に展開されると、当該閉塞装置の配置を妨げることなく又は周囲構造物を損傷することなく、押出器機構から切り離される。
【０００５】
動脈瘤の処置にとっては、最小限に侵襲的な手法も非常に望ましい。一般に、最小限に侵襲的な治療の目的は、キャビティ内に集まり又は形成される材料が血流に入るのを防止すること、及び動脈瘤内に血液が入りかつ集まるのを防止することにある。これは、様々な材料及び装置を動脈瘤の中に導入することによって達成される場合が多い。一つのクラスの塞栓剤は、マイクロフィブリルコラーゲン、様々なポリマービーズ、及びポリビニルアルコール発泡体のような注射可能な流体又は懸濁液を含む。ポリマー剤はまた、血管部位での安定性を拡張するべく架橋される。かかる薬剤は、固体の空間充填塊を形成するべくカテーテルを使用して血管系の標的部位に堆積されるのが一般的である。かかる薬剤のいくつかは優れた短期間閉塞を与えるが、多くは、血液中に吸収されることにより血管再疎通を許容してしまうと考えられている。ブタの毛、及び金属粒子の懸濁液のような他の材料も、動脈瘤の閉塞を促進するべく提案されかつ使用されている。シアノアクリレートのようなポリマー樹脂も、注射可能な血管閉塞材料として用いられる。かかる樹脂は、放射線不透過性造影物質とともに混合され又はタンタル粉末を添加することによって放射線不透過性とされるのが典型的である。かかる混合物を正確かつ適時に配置することは、ひとたび血流内に置かれると制御困難となることから、厳しくかつ極めて困難である。
【０００６】
埋め込み可能な血管閉塞金属構造物も周知であり、一般に使用されている。従来型の血管閉塞装置の多くは、形状記憶材料又は貴金属から構築されたらせんコイルを有する。当該らせんコイルは、送達カテーテルの遠位端から出る際に望ましいコイル構成を形成する。当該コイルの機能は、解剖学的欠陥により形成された空間を充填すること、及び関連する類似組織による塞栓の形成を促進することである。同じ又は異なる構造の多数のコイルが、一手順の間に単数の動脈瘤又は他の不良血管に順次に埋め込められる。コイルのような充填材料を挿入する前に、動脈瘤又は欠陥の壁を安定化するべく、埋め込み可能な枠組構造物も使用される。
【０００７】
従来型の金属血管閉塞装置を標的部位に送達する手法は一般に、送達カテーテル及び切り離し機構を含む。切り離し機構は、コイルのような装置を、標的部位に配置した後に送達機構から切り離す。例えば、操縦可能なガイドワイヤありで又はなしで、動脈瘤の入口の中に又はその近くに、マイクロカテーテルを送達カテーテルを介して最初に導入することができる。ガイドワイヤが使用される場合、ガイドワイヤは、マイクロカテーテルの穴から引き出されて埋め込み可能な血管閉塞コイルに置換される。血管閉塞コイルは、マイクロカテーテルを通って前進して抜け出るので、動脈瘤又は他の欠陥異常部位内に堆積される。このような血管閉塞装置を、キャビティの内部堆積の中に正確に埋め込み、かつ、動脈瘤の内部堆積の中に装置を維持しておくことは難しい。キャビティから血管閉塞装置が移動し又は突出することによって血流又は近くの生理学的構造物に干渉すると、深刻な健康上のリスクとなる。
【０００８】
埋め込み可能な閉塞装置の送達困難性に加え、いくつかのタイプの動脈瘤は、動脈瘤の構造的な特徴ゆえに又は当該部位の独自性ゆえに治療が困難である。例えば、頸状部が幅広い動脈瘤は、血管閉塞コイルの配置及び保持が特に難しいことが知られている。もう一つの例は、血管が分岐する部位の動脈瘤である。この場合、その解剖学的な構造は、典型的な側壁動脈瘤の治療に有効な方法及び装置にとって課題となる。
【先行技術文献】
【特許文献】
【０００９】
【特許文献１】国際公開第２０１１／０２９０６３（Ａ２）号
【特許文献２】米国特許出願公開第２００６／２５９１３１（Ａ１）号明細書
【特許文献３】国際公開第２０１０／０２８３１４（Ａ１）号
【発明の概要】
【００１０】
このような課題に鑑み、従来型の塞栓コイル、他の構造物、又は材料を動脈瘤の内部空間に埋め込むことは、十分に満足な外科的アプローチではなかった。その配置手順は困難かつ冗長である。多くの場合、コイルのような多数の装置を動脈瘤の内部空間に順次に埋め込む必要があるからである。このような長い手順は、麻酔、出血、血栓塞栓症、施術中の発作、及び感染のような原因による合併症の高いリスクに関連する。さらに、動脈瘤の内部空間に構造物を配置することは当該開口を完全には閉塞しないのが一般的なので、当初の動脈瘤が再疎通し、かつ、デブリ及び閉塞材料が動脈瘤の中から漏れて発作又は血管閉塞のリスクをもたらす。血液も、塞栓装置の配置後に、動脈瘤及び他の血管異常の中に流れ込み、合併症さらには動脈瘤拡大のリスクが増大する。
【００１１】
数多くの従来型装置及びシステムが、最小限に侵襲的な手法を使用して塞栓材料を動脈瘤に埋め込むべくかつ生理学的欠陥を閉塞するべく利用可能であるにもかかわらず、かかる手順はリスクを抱えたままであって、生理学的構造物をその通常の健康な状態に回復させることはまれである。従来型の埋め込み可能な装置を、展開中に位置決めし、展開後に当該装置の変位又は移動を防止し、及び展開後に引き続き隣接血管内に血流を維持することも困難である。
【図面の簡単な説明】
【００１２】
【図１Ａ】本技術の一実施形態によって構成された動脈瘤装置の等角図である。
【図１Ｂ】図１Ａの動脈瘤装置の閉鎖構造部分の等角図である。
【図１Ｃ】動脈瘤に埋め込まれ、かつ、本技術の複数の実施形態によって構成された図１Ａの動脈瘤装置の正面図である。
【図２】本技術の複数の実施形態によって構成された動脈瘤装置の閉鎖構造部分の等角図である。
【図３】本技術の複数の実施形態によって構成された動脈瘤装置の等角図である。
【図４】本技術の複数の実施形態によって構成された動脈瘤装置の等角図である。
【図５】本技術の実施形態によって構成された動脈瘤装置の閉鎖構造部分の等角図である。
【図６Ａ】本技術の複数の実施形態によって構成された動脈瘤装置の閉鎖構造部分の等角図である。
【図６Ｂ】本技術の複数の実施形態によって構成された動脈瘤装置の閉鎖構造部分の正面図である。
【図６Ｃ】本技術の複数の実施形態によって動脈瘤に埋め込められた図６Ａ及び６Ｂの閉鎖構造部分の正面図である。
【図７Ａ】本技術の複数の実施形態によって構成された動脈瘤装置の閉鎖構造部分の正面図である。
【図７Ｂ】本技術の複数の実施形態．によって構成された図７Ａの閉鎖構造部分の等角図である。
【図７Ｃ】本技術の複数の実施形態．によって構成された図７Ａの閉鎖構造部分の等角図である。
【図７Ｄ】本技術の複数の実施形態．によって構成された図７Ａの閉鎖構造部分の等角図である。
【図８Ａ】本技術の複数の実施形態によって構成された動脈瘤装置の等角図である。
【図８Ｂ】本技術の複数の実施形態によって動脈瘤に配置された図８Ａの動脈瘤装置の正面図である。
【図８Ｃ】本技術の複数の実施形態によって動脈瘤に配置された図８Ａの動脈瘤装置の正面図である。
【図９】本技術の複数の実施形態によって構成された動脈瘤装置の閉鎖構造部分の等角図である。
【図１０】図１０Ａ及び１０Ｂはそれぞれ、本技術の複数の実施形態によって構成された動脈瘤装置の閉鎖構造部分の等角図及び正面図である。
【図１１】図１１Ａ及び１１Ｂはそれぞれ、本技術の複数の実施形態によって構成された動脈瘤装置の閉鎖構造部分の等角図及び平面図である。
【図１２】図１２Ａ及び１２Ｂはそれぞれ、本技術の複数の実施形態によって構成された動脈瘤装置の等角図及び側面図である。
【図１３】図１３Ａ及び１３Ｂは、本技術の複数の実施形態に係る組み付け解除構成にある動脈瘤装置１３００の平面図である。
【発明を実施するための形態】
【００１３】
本開示は、動脈瘤頸状部の開口のような標的部位に埋め込み可能な治療装置、及び装置を血管内配置する方法を記載する。いくつかの実施形態では、治療用動脈瘤装置は、動脈瘤に近接する部位に血管内送達可能である。動脈瘤装置は閉鎖構造物を含む。閉鎖構造物は、動脈瘤を少なくとも部分的に閉塞するべく構成された遠位方向面と動脈の複数の内腔を覆うようにアーチを描くべく構成された近位方向面とを有する。本装置はさらに、閉鎖構造物に接続された追加安定器を含む。追加安定器は、動脈内に存在してその内腔壁を外向きに押圧するべく構成される。所定の実施形態では、本装置はまた、閉鎖構造物の遠位方向面の少なくとも一部分に広がる隔離壁を含むこともできる。隔離壁は、動脈瘤の頸状部をさらに閉塞するべく構成される。
【００１４】
以下の記載は、本開示の複数の実施形態を完全に理解するための具体的な詳細を与え、かつ、当該実施形態の実施を可能とする記載を与える。動脈瘤治療に関連する場合が多い周知の構造、システム及び方法は、本開示の様々な実施形態の記載を不必要にあいまいとすることがないように、詳しい図示又は記載はされない。加えて、当業者にはわかることであるが、以下に記載される詳細のいくつかがなくとも、追加的な複数の実施形態を実施することができる。
【００１５】
図１Ａは、本技術の複数の実施形態によって構成された閉鎖構造物１１０及び支持材又は追加安定器１２０を有する動脈瘤装置１００の等角図である。図１Ｂは閉鎖構造物１１０の等角図である。図１Ａ及び１Ｂを一緒に参照すると、閉鎖構造物１１０は、動脈瘤の頸状部を少なくとも部分的に閉塞する枠組、骨組又は他の構造物であり得る。その閉塞により、動脈瘤内の塞栓コイル又は他の閉塞性材料が血流の中へ流出することが回避される。閉鎖構造物１１０は、複数の骨組突っ張り材又は支持材１３０（突っ張り材１３０ａ〜１３０ｆとして別個に特定される）を含む。突っ張り材１３０は、角部１１５、１１６及び１１７が一緒に接合される。角部１１５、１１６及び１１７は長手方向の角部であり得る。角部１１５、１１６及び１１７は、長手方向軸Ｌ−Ｌに沿って延びる閉鎖構造物１１０の近位端を画定する。突っ張り材１３０はさらに、短手方向の角部１２５、１２６及び１２７を含むことができる。角部１２５、１２６及び１２７は、短手方向軸Ｔ−Ｔに沿って延びる閉鎖構造物１１０の短手方向面を画定する。図１Ａ及び１Ｂに例示される閉鎖構造物１１０の実施形態は、長手方向軸Ｌ−Ｌ及び短手方向軸Ｔ−Ｔ双方の中心線に対して一般に対称的であるが、閉鎖構造物１１０の他の実施形態は、長手方向軸及び短手方向軸の一方又は双方に対して非対称的な構成とすることができる。角部１２５、１２６及び１２７は、丸まった又は輪状のものとして例示されるが、角部の他の実施形態は、先の尖った外形、複合的な湾曲、又は他の角度が付いた構成も有し得る。突っ張り材１３０は、一枚のシート材料から互いに一体的に形成され又は別個の突っ張り材が形成されて当該角部において一緒に結合される。
【００１６】
閉鎖構造物１１０は遠位枠組部分を画定することができ、かつ、追加安定器１２０は近位枠組部分を画定することができる。当該部分はそれぞれ、突っ張り材１３０の一以上の対を有し得る（例えば突っ張り材１３０ａは突っ張り材１３０ｆと「対」にされる）。所定の実施形態では、突っ張り材１３０は、動脈瘤装置１００の長手方向軸Ｌ−Ｌに向かって内側に湾曲することができる。突っ張り材１３０の輪郭は典型的に、四辺形形態の外形である。所定の実施形態では、突っ張り材１３０は、菱形形状構成又はダイヤモンド形状を有し得る。いくつかの実施形態では、突っ張り材１３０は、特定の血管系に適合したフィットを与えるべく曲がることができる。所定の実施形態では、突っ張り材１３０は、互いから独立して曲がり又は撓んで動くことができる。例えば、突っ張り材１３０ｃは、突っ張り材１３０ｂよりも、動脈瘤の本体の方にさらに曲がることができる。この独立した調整能力により、所与の動脈瘤の特定の輪郭にカスタマイズされたフィットが得られるので、しっかりとした保持がもたらされる。
【００１７】
上述のように、突っ張り材１３０は、対称的（例えば直交軸に沿って同じ長さ）となり又は非対称的となり得る。非対称的な場合、菱形形状構造物の一側は、他側よりも長い軸を有することができる。以下に記載される多くの閉鎖構造物１１０は四辺形形態を有するが、閉鎖構造物１１０は、当該形状に限られない。遠位枠組部分の遠位方向面が、多角形又は多角形的曲線形状のような他の形状を有し得るからである。いくつかの実施形態では、菱形形状の支持材１３０は、動脈瘤装置１００の長手方向軸Ｌ−Ｌにおける中心と同心である。閉鎖構造物１０２の短手方向頂点は、遠位枠組部分の短手方向軸Ｔ−Ｔの両対向端に配置される。遠位枠組部分の、長手方向軸Ｌ−Ｌを横切って互いに対向する２つの部分が、当該遠位枠組部分の短手方向の薄片を画定する。
【００１８】
様々な実施形態では、閉鎖構造物１１０は、動脈瘤の頸状部において、追加安定器１２０と組み合わせて又は追加安定器１２０とは独立して使用することができる。閉鎖構造物１１０及び追加安定器１２０の短手方向に延びる複数の分岐が、閉鎖構造物１１０の湾曲部分を動脈瘤の頸状部に保持する。しかしながら、所定の実施形態では、閉鎖構造物１１０を追加安定器１２０から独立して使用することにより、動脈瘤装置１００の、患者の血管系との接触量を低減することができる。例えば、所定の実施形態では、破裂した動脈瘤の治療において、閉鎖構造物１１０を追加安定器から独立して使用することができる。所定の実施形態では、追加安定器１２０は、閉鎖構造物１１０の配置中に使用されるがその後除去されるということもできる。
【００１９】
図１Ｃは、本技術の複数の実施形態に係る展開された構成にありかつ動脈瘤に埋め込まれた図１Ａの動脈瘤装置の正面図である。展開された構成では、閉鎖構造物１１０は、遠位枠組部分の湾曲セクションによって画定された遠位方向に突出するアーチを有する。追加安定器１２０は、短手方向軸に対して一角度をなして閉鎖構造物１１０から近位方向に延びる。閉鎖構造物１１０のアーチの近位方向面は、二股に分かれる動脈の内腔を覆うように延びる。閉鎖構造物１１０のアーチの遠位方向面は一般に、二股に分かれる動脈の内腔表面を押圧する。閉鎖構造物１１０の遠位方向面は、当該頸状部と当該分岐する血管の周囲壁とに矛盾なく整合し又は係合する湾曲表面を形成することによって、動脈瘤の頸状部に実質的に整合し又は順応する。所定の実施形態では、遠位方向面は、双曲放物面のような複合的な湾曲（例えば一般的な鞍形状の形態）を有する。例示の実施形態では、双曲放物面は、凹んだ中心部分を備える一般にＹ字形状の湾曲を含む。追加安定器１２０は、親動脈にまで下方に延びてその内腔表面を外向きに押圧する突っ張り材を有することができる。
【００２０】
遠位方向面又は近位方向面の裏面は一般に、二股に分かれる動脈の内腔表面に対して整列される。アーチの側面は、親動脈にまで下方に延びてその内腔表面に対して整列される。アーチの近位方向面は一般にかつ実質的に、近位枠組の短手方向軸を（垂直に又は直交して）横切る。アーチは、二股に分かれる動脈の内腔を控え目に覆って広がるので、血管の流路内に侵入することがない。詳しくは、アーチは、閉鎖されていない開口又は孔とすることができるが、その代わりに近位方向に完全に開口する構造を有することもできる。さらなる実施形態では、以下に詳しく述べるように、閉鎖構造物１１０は、一以上の遠位枠組突っ張り材にわたって広がる覆い又は隔離壁部分を含むことができる。これは、動脈瘤の頸状部を閉塞するべく構成される。
【００２１】
図２は、本技術の複数の実施形態によって構成された動脈瘤装置の閉鎖構造物２１０の等角図である。閉鎖構造物２１０は、図１Ａ〜１Ｃを参照して上述した閉鎖構造物１１０と一般に同様の特徴をいくつか有する。閉鎖構造物２１０はさらに、遠位方向面にわたって広がる隔離壁２４０を含む。
【００２２】
例示の実施形態では、閉鎖構造物２１０は、周囲突っ張り材２３２と、周囲突っ張り材２３２に長手方向の角部箇所２１７で合流する湾曲内側アーム２３０とを含む。閉鎖構造物２１０は、角部箇所２１７において、（図１Ａを参照して上述した追加安定器１２０のような）追加安定器に対して一時的に又は永久的に取り付けることができる。内側アーム２３２は、角部箇所２１７から閉鎖構造物２１０の長手方向中線Ｌ−Ｌに沿って遠位に延び、かつ、中心から外れた箇所へと遠位かつ短手方向に湾曲する。したがって、内側アーム２３２により、閉鎖構造物２１０及び隔離壁２４０は、展開された構成に保持されかつ形状が維持され、かつ、送達及び／又は除去中にはらせん状に折り畳まれ又は圧縮される。
【００２３】
隔離壁２４０は、周囲アーム及び内側アーム２３２、２３０とともに形成し又はこれらに対して永久的に若しくは取り外し可能に取り付けることができる。隔離壁２４０は、一以上の透過膜若しくは半透過膜、覆い、シート、パネル、メッシュ、又は他の構造物を含むことができる。これらは閉塞性又は半閉塞性の被覆を形成する。閉塞性又は半閉塞性の被覆は、（ａ）動脈瘤のキャビティ内への血管流を制限し、そらせ、再配向し、若しくは禁止し、及び／又は（ｂ）材料が当該キャビティから流出することを防止する。この側面において、開示される技術の装置及び方法は、動脈瘤から離れるように血流をそらせる閉鎖構造物２１０を、動脈瘤の頸状部にわたって配置かつ保持することにより、血管又は血管接合部の修復及び再構築を与えることができる。隔離壁２４０は、配置及び展開に引き続き、動脈瘤の頸状部を実質的に覆う。閉鎖構造物２１０は、動脈瘤及び／又は隣り合う血管壁を取り囲む組織に実質的に順応する構造物を形成することができる。高度に順応してフィットすることは一般に、血管の解剖学的近傍を通常の又はさらに通常の構成に回復させるので、これにより、通常の血管流パターン及び全体的な機能が支持される。例示の実施形態では、隔離壁２４０は隔離壁アパチャ２４２を含む。隔離壁アパチャ２４２は、動脈瘤へのアクセス（例えばカテーテルにとってのアクセス、送達コイルへのアクセス等）を与えるべく構成される。以下にさらに詳しく述べるように、隔離壁２４０は、望ましい隔離壁パターン及び／又は構造を達成するべく、装置に単数のシート又はパネルを含むこと、若しくは層になった複数のシート若しくはパネルを含むこと、及び／又はそれ以外の配列を含むことができる。
【００２４】
図３は、本技術の複数の実施形態によって構成された動脈瘤装置３００の等角図である。上述した動脈瘤装置と一般に同様に、動脈瘤装置３００は閉鎖構造物３１０及び追加安定器３２０を含む。閉鎖構造物３１０は、突っ張り材３３０ａ〜３３０ｃの複数の入れ子式菱形形状の対（集合的には突っ張り材３３０）を含む。隔離壁３４０が突っ張り材３３０に広がり、かつ、突っ張り材３３０ａの最も内側の組の中において、閉鎖構造物３１０の中心部分に中心孔又はスリット３４２を含む。
【００２５】
図４は、本技術の複数の実施形態によって構成された動脈瘤装置４００の等角図である。図３を参照して上述した動脈瘤装置３００と一般に同様に、動脈瘤装置４００は閉鎖構造物４１０及び追加安定器４２０を含む。閉鎖構造物４１０は、入れ子式菱形形状を形成する複数の突っ張り材４３０ａ〜４３０ｃ（集合的には突っ張り材４３０）を含む。しかしながら、この実施形態では、隔離壁４４０は最も内側の突っ張り材３３０ａと中間の突っ張り材３３０ｂとの間の空間にのみ広がる。
【００２６】
例示の構成は、突っ張り材４３０及び隔離壁４４０がとり得る多数の配列の単なる代表に過ぎない。例えば、３組を超えた又はそれ未満の入れ子式突っ張り材４３０が存在し得るし、隔離壁４４０は、突っ張り材４３０間の領域よりも多くの数の又は少ない数の領域又は領域部分を覆うことができる。所定の実施形態では、突っ張り材に対する隔離壁の被覆程度は、望ましい閉塞程度、動脈瘤のタイプ若しくは特徴、及び／又は動脈瘤の本体への望ましいアクセスに基づいて選択することができる。
【００２７】
図５は、本技術の複数の実施形態によって構成された動脈瘤装置の閉鎖構造部分５１０の等角図である。閉鎖構造物５１０は、図２を参照して上述した閉鎖構造物２１０と一般に同様の特徴をいくつか有する。例えば、閉鎖構造物５１０は、周囲突っ張り材５３２にわたって広がる一の隔離壁５４０と、複数の湾曲内側アーム５３０とを有する。隔離壁５４０は、オプションとしてのアクセスアパチャ５４２を含む。
【００２８】
閉鎖構造物５１０はさらに、周囲突っ張り材５３０に対して遠位に結合された可撓性固定用レッグ５５２を含む。２つのレッグ５５２は、閉鎖構造物５１０の例示された側部から降りるように示されるが、本技術のさらなる複数の実施形態では、これよりも多い又は少ないレッグ５５２が同じ又は異なる寸法で存在し得る。固定用レッグ５５２は、閉鎖構造物６１０と、図１Ａを参照して上述した追加安定器１２０のような追加安定器との間の旋回可能な動き（又は衝撃吸収）を与えることができる。固定用レッグ５５２は、ばね、ヒンジ又は他の可動性若しくは可撓性の構造物を含むことができる。これらは、追加安定器に対する閉鎖構造物５１０の動きを許容する。
【００２９】
図６Ａ及び６Ｂはそれぞれ、上述した閉鎖構造物と一般に同様の特徴をいくつか有する閉鎖構造物６１０の等角図及び正面図である。図６Ｃは、本技術の複数の実施形態に係る動脈瘤における閉鎖構造物６１０の正面図である。図６Ａ〜６Ｃを一緒に参照すると、閉鎖構造物６１０は、遠位アーム６３０に広がる隔離壁６４０を含む。閉鎖構造物６１０はさらに、中線突っ張り材６６２を介して遠位アーム６３０に結合された近位アーム６６０を含む。例示の実施形態では、中線突っ張り材６６２は、遠位アーム接合箇所６１７から遠位に延びる。隔離壁６４０は、その中にアパチャ６４２を含むことができる。
【００３０】
いくつかの実施形態では、遠位アーム６３０又は近位アーム６６０の少なくとも一つは、望ましい程度の動脈瘤閉塞及び装置安定性を与えるべく、動脈瘤又は血管系の形状に対して良好に順応するような湾曲線又は放物線形状である。例えば、例示の実施形態では、遠位アーム６３０は遠位に延びるが短手方向かつ近位方向に下降して湾曲する一方、近位アーム６６０は、短手方向に突出する前に近似的に１８０度だけ遠位方向に湾曲する。図６Ｃに最も良く示されるように、遠位アーム６３０は動脈瘤内に配置可能かつ動脈瘤壁に対して順応可能である一方、近位アーム６６０は動脈瘤の外側にある内腔壁に対して順応可能である。
【００３１】
図７Ａは、本技術の複数の実施形態によって構成された閉鎖構造物７１０の正面図である。図７Ｂ〜７Ｄは閉鎖構造物７１０の等角図である。図７Ａから７Ｄを一緒に参照すると、閉鎖構造物７１０は、多数組の一般に三角形状の入れ子式バッフル又はパネル７３０ａ〜７３０ｃ（集合的にはパネル７３０）を含む。各パネル７３０は、一の突っ張り材枠組と、複数シート又はパネルの隔離壁７４０ａ〜７４０ｃ（集合的には隔離壁７４０）とを含む。複数対のパネル７３０が、中心幹の接合部７１７ａ〜７１７ｃにおいて接合する。
【００３２】
隔離壁７４０によってパネル７３０を別個に覆うこと、又は（例えばＶ字形状を形成する）複数対の突っ張り材を覆うことができる。一以上のパネル７３０は開口又は孔７４２を含むことができる。例えば、例示の実施形態では、閉鎖構造物７１０は中心孔７４２を含む。中心孔７４２は、隣接するパネル７３０の各対を貫通して長手方向に延びる。これにより、閉鎖構造物７１０の近位側から動脈瘤の内部へのアクセスが得られる。パネル７３０は三角形として記載されるが、さらなる実施形態では、パネル７３０は、矩形、円形、正方形又は他の多角形状若しくは湾曲形状として成形することができる。パネル７３０は、短手方向に重なって流れを制御し、包含し及び／又はそらせるべく使用することができる。パネル７３０は、互いに対して旋回可能に曲がる等の動きをするバッフルとして機能し、開いた状態から閉じた状態へと調整され得る。様々な使用実施形態では、パネル７３０の一以上を動脈瘤の内側にすることができる一方、他のパネル７３０を動脈瘤の外側にすることができる。さらなる実施形態では、パネル７３０すべてを動脈瘤の内側又は外側にすることができる。
【００３３】
図８Ａは、本技術の複数の実施形態によって構成された動脈瘤装置８００の等角図である。動脈瘤装置８００は閉鎖構造物８１０及び追加安定器８２０を含む。閉鎖構造物８１０は、一般的には上述した閉鎖構造物と同様の、突っ張り材８３０ａ、８３０ｂという一以上の菱形形状の組（集合的には突っ張り材８３０）を含む。閉鎖構造物８１０はさらに、遠位方向に延びる固定用アーム８３８を含む。例示の実施形態では、突っ張り材８３０は、遠位方向かつ短手方向に湾曲し、所定の実施形態では固定用アーム８３８を超えて短手方向に延びる。
【００３４】
図８Ｂ及び８Ｃは、本技術の複数の実施形態によって動脈瘤に配置された図８Ａの動脈瘤装置の正面図である。突っ張り材８３０は、動脈瘤の外側頸状部に対して湾曲するように構成される。さらなる実施形態では、一以上の突っ張り材８３０を動脈瘤内に配置することができる。固定用突っ張り材８３８は、動脈瘤の側壁内に位置決めすることができ、かつ、動脈瘤の頸状部に対して改善されたフィット性／順応性を与えることができる。図８Ｃに示されるように、所定の実施形態では、追加安定器８２０は、閉鎖構造物８１０の安定配置の際に除去すること又は全く使用しないことができる。
【００３５】
図９は、本技術の複数のさらなる実施形態によって構成された動脈瘤装置の閉鎖構造部分９１０の等角図である。上述した閉鎖構造物と一般に同様の特徴を有する閉鎖構造物９１０は、内側、中間及び外側組の突っ張り材（それぞれ９３０ａ〜９３０ｃで付番される）を含む。例示の実施形態では、内側突っ張り材９３０ａは、短手方向に接合された中間及び外側突っ張り材９０３ｂ、９０３ｃから遠位方向かつ上向きに延び又は曲がる。この曲がり具合により、内側突っ張り材９３０ａと中間突っ張り材９３０ｂとの間に隙間が得られる。使用時、この隙間は、動脈瘤に近接する組織に留められ又は係合するべく使用することができる。
【００３６】
図１０Ａ及び１０Ｂはそれぞれ、本技術の複数の実施形態によって構成された閉鎖構造物１０１０の等角図及び正面図である。閉鎖構造物１０１０は、内側組の突っ張り材１０３０ａ及び外側組の突っ張り材１０３０ｂを含む。所定の実施形態では、内側組の突っ張り材１０３０ａを、外側組の突っ張り材１０３０ｂからずらされた方向に曲げ又は形成し動脈瘤装置３００を「拡張」することができる。所定の実施形態では、内側組の突っ張り材１０３０ａを動脈瘤内に配置し、かつ、外側組の突っ張り材３３０ｂを動脈瘤の外側に配置することができる。これにより、閉鎖構造物１０１０が固定され又は安定化される（例えば動脈瘤装置が動脈瘤の中に留められる）。
【００３７】
図１１Ａ及び１１Ｂはそれぞれ、本技術の複数の実施形態によって構成された閉鎖構造物１１１０の等角図及び平面図である。閉鎖構造物１１１０は、内側組の突っ張り材１１３０ａ及び外側組の突っ張り材１１３０ｂを含む。所定の実施形態では、内側組の突っ張り材１１３０ａを、外側組の突っ張り材１１３０ｂからずらされた方向に曲げ又は形成することができる。所定の実施形態では、閉鎖構造物１１１０の固定を目的として、内側組の突っ張り材１１３０ａを動脈瘤内に配置し、外側組の突っ張り材１１３０ｂを動脈瘤の外側に配置することができる。
【００３８】
図１２Ａ及び１２Ｂはそれぞれ、本技術の複数の実施形態によって構成された動脈瘤装置１２００の等角図及び側面図である。動脈瘤装置１２００は閉鎖構造物１２１０及び追加安定器１２２０を含む。閉鎖構造物１２１０は、複数組の突っ張り材１２３０ａ〜１２３０ｃ（集合的には突っ張り材１２３０）を含む。これらは、三角形又は菱形構成で配列されて装置１２００の中線から短手方向に延びる。上記いくつかの実施形態において述べたように、突っ張り材１２３０の組は、動脈瘤内に若しくはその外側に載置すること又は動脈瘤の頸状部に挟み込み若しくは留めることができる。例示の実施形態では、追加安定器１２２０は、閉鎖構造物１２１０から近位方向に延びる輪状固定器１２２２を含む。これらの固定器１２２２は、血流を阻止することなく装置安定性を得るべく、血管壁を押圧するように構成することができる。
【００３９】
図１３Ａ及び１３Ｂは、本技術の複数の実施形態に係る組み付け解除構成にある動脈瘤装置１３００の平面図である。図１３Ａ及び１３Ｂを一緒に参照すると、動脈瘤装置１３００は、実質的に平坦な基板を切断、エッチング、スタンピング等することにより構築され、閉鎖構造物１３１０及び組み付けられていない追加安定器１３２０の枠組が形成される。いくつかの実施形態では、装置１３００は、単数片の基板から切り取ることができる。例えば、（複数組の突っ張り材１３３０ａ〜１３３０ｃを含む）閉鎖構造物１３１０及び追加安定器１３２０は、実質的に均一な厚さを有する平坦なシート材料から構築することができる。他の実施形態では、シート材料の異なる領域には、閉鎖構造物１３１０及び／又は追加安定器１３２０の複数部分の望ましい厚さに対応する異なる厚さを与えることができる。
【００４０】
閉鎖構造物１３１０は、短手方向軸Ｔ−Ｔに沿って湾曲するように折り畳み又は曲げることができる。その結果、角部１３１７ａ〜１３１７ｃに関連付けられた閉鎖構造物１３１０の複数部分が、対をなす長手方向に整列した構造物を、一般には短手方向軸Ｔ−Ｔに対し両側にかつ実質的に直交して画定する。対をなす長手方向に整列した構造物は、互いに対して実質的に平行となることにより、閉鎖構造物１３１０を所定位置に保持する固定器を画定することができる。閉鎖構造物１３１０は、合計約１８０°だけ弾性的に曲げられかつ外向きに付勢された頂部を形成する。閉鎖構造物１３１０の外向きの付勢は、ニチノール等の形状記憶金属を含む弾性の金属又は合金のような、閉鎖構造物を形成する材料に起因する。外向きの付勢力は、閉鎖構造物１３１０から追加安定器１３２０に伝達される。その結果、追加安定器１３２０は、閉鎖構造物１３１０の長さ方向寸法に対して一角度をなして延びる親血管の内腔を外向きに押圧する。
【００４１】
展開された装置の血管系における正確な位置決め、配置、及びモニタリングを容易とするべく、放射線不透過標識１３７２、１３７４、１３７６及び１３７８又は放射線不透過化合物を、所定の構造物又は装置構造物の部分に関連付けることができる。一つの実施形態では、例えば、放射線不透過組成物を、閉鎖構造物に組み入れること又は閉鎖構造物の被覆として与えることができる。装置枠組の異なるセグメントを識別するべく、様々な標識の幾何形状を採用することができる。例えば、装置の近位レッグに２つのドットを有する標識を組み入れる一方、被覆に近い又は近接する装置部分に単数ドットを組み入れることができる。代替的に、異なる装置部分を差別化するべく、異なる形状の標識を使用することもできる。放射線不透過標識は、血管造影を受ける異なる装置コンポーネント及び特徴の空間的な位置特定を与えるべく、装置枠組又は取り付けられる材料、被覆及び膜に沿って任意の場所に付加することができる。いくつかの実施形態では、例えば、放射線不透過標識は、閉鎖構造物１３１０及び／又は追加安定器１３２０の短手方向及び／又は長手方向に非対称的な（すなわち、短手方向軸Ｔ−Ｔ、長手方向軸Ｌ−Ｌ、又は長手方向軸及び短手方向軸が交差する中心箇所１３７０に対して非対称的な）箇所に付加することができる。図１３Ａに例示される実施形態では、標識１３７２、１３７４、１３７６及び１３７８は長手方向軸Ｌ−Ｌからずらされる。標識１３７２は距離Ｘ４だけずらされ、標識１３７４は距離Ｘ２だけずらされ、標識１３７６は距離Ｘ１だけずらされ、及び標識１３７８は距離Ｘ３だけずらされる。ここで、Ｘ１、Ｘ２、Ｘ３及びＸ４はすべて不等な距離である。これらの標識を非対称的に配置することにより、装置が配置中に折り畳まれ又は圧縮されても、標識は重なり合うことがない。したがって、装置１３００は送達するのにかさばることがない。
【００４２】
以下の例は、本技術のいくつかの実施形態の例示である。
［例１］
動脈瘤に近接する部位に血管内送達可能な動脈瘤装置であって、
前記動脈瘤を少なくとも部分的に閉塞するべく構成された遠位方向面と動脈の内腔を覆うようにアーチを描くべく構成された近位方向面とを含む閉鎖構造物と、
前記閉鎖構造物に接続された追加安定器であって、前記動脈内に存在して前記動脈の内腔壁を外向きに押圧するべく構成された追加安定器と、
前記閉鎖構造物の遠位方向面の少なくとも一部分に広がる隔離壁であって、前記動脈瘤へのアクセスを与えるべく構成されたアパチャを中に有する隔離壁と
を含む動脈瘤装置。
［例２］
前記隔離壁は、前記動脈瘤への又は前記動脈瘤からの流れを制限又は禁止するべく構成された透過膜又は半透過膜を含む、例１に記載の動脈瘤装置。
［例３］
前記隔離壁はシート又はパネルの重なり合う層を含む、例１に記載の動脈瘤装置。
［例４］
前記閉鎖構造物は、複数の短手方向に対向する支持材を含み、
各支持材は、アパチャを中に有する隔離壁の材料によって別個に覆われる、例１に記載の動脈瘤装置。
［例５］
前記閉鎖構造物の遠位方向面及び隔離壁は、複合湾曲表面を形成する、例１に記載の動脈瘤装置。
［例６］
前記複合湾曲表面は双曲放物面形態を含む、例５に記載の動脈瘤装置。
［例７］
前記閉鎖構造物は、内側支持材、中間支持材及び外側支持材を含む３組の短手方向対向支持材を含み、
前記隔離壁の材料は、前記内側支持材と前記中間支持材との間にのみ延びる、例１に記載の動脈瘤装置。
［例８］
前記閉鎖構造物、追加安定器及びアパチャは、前記装置の長手方向軸を含む、例１に記載の動脈瘤装置。
［例９］
動脈瘤に近接する部位に血管内送達可能な動脈瘤装置であって、
前記動脈瘤を少なくとも部分的に閉塞するべく構成された遠位方向面を有する閉鎖構造物であって、前記遠位方向面は、複数の少なくとも部分的に重なり合うパネルを含む閉鎖構造物と、
前記閉鎖構造物に接続された追加安定器であって、前記動脈内に存在して前記動脈の内腔壁を外向きに押圧するべく構成された追加安定器と
を含む動脈瘤装置。
［例１０］
別個のパネルはそれぞれ枠組を含み、
別個の隔離壁の材料が前記枠組にわたって延びる、例９に記載の動脈瘤装置。
［例１１］
前記枠組は一般に三角形状である、例１０に記載の動脈瘤装置。
［例１２］
前記別個の隔離壁にはアパチャが貫通する、例１０に記載の動脈瘤装置。
［例１３］
前記複数のパネルは多数組の対向パネルを含み、
各パネルは隔離壁部分を支持し、
前記対向パネルは前記動脈に対して長手方向に整列される、例９に記載の動脈瘤装置。
［例１４］
前記別個のパネルは共通幹において一緒に結合され、
少なくとも一つのパネルは他のパネルに対して旋回可能に動くことができる、例９に記載の動脈瘤装置。
［例１５］
送達可能な構成に組み付けられる前は平坦に構成される動脈瘤閉鎖枠組であって、
一つの中心枠組部分及び２つの支持枠組部分と、
前記閉鎖構造物上の短手方向に非対称なパターンに組み入れられる放射線不透過組成物と
を含み、
前記支持枠組部分は前記中心枠組部分の対向側部に接続され、
前記中心枠組部分及び前記支持枠組部分は長手方向軸に沿って整列され、
前記中心枠組部分は、少なくとも一つの四辺形形態を形成する一組の中心突っ張り材を含み、
第１及び第２長手方向接合部が２つの長手方向頂点において前記突っ張り材を接合し、かつ、２つの短手方向接合部が短手方向軸の頂点において前記突っ張り材を接合する動脈瘤閉鎖枠組。
［例１６］
前記放射線不透過組成物は前記閉鎖構造物を被覆する、例１５に記載の動脈瘤閉鎖枠組。
［例１７］
前記放射線不透過組成物は前記閉鎖構造物上のドットとされる、例１５に記載の動脈瘤閉鎖枠組。
［例１８］
前記放射線不透過組成物は、前記閉鎖構造物上の短手方向及び長手方向に非対称なパターンに組み入れられる、例１５に記載の動脈瘤閉鎖枠組。
［例１９］
前記放射線不透過組成物はさらに、前記支持枠組上の短手方向に非対称なパターンに組み入れられる、例１５に記載の動脈瘤閉鎖枠組。
［例２０］
前記非対称なパターンは、異なる形状又はサイズの放射線不透過標識を含む、例１５に記載の動脈瘤閉鎖枠組。
【００４３】
以上のことから、本開示の特定の実施形態は、例示の目的のためにここに記載されていることが理解されるであろうが、本開示の要旨及び範囲から逸脱することなく様々な修正を行うことができる。例えば、特定の実施形態の文脈で記載された（例えば追加安定器及び／又は隔離壁のような）構造物及び／又は処理は、他の実施形態において組み合わせられ又は除去されてよい。特に、特定の実施形態を参照して上述した動脈瘤装置は、一以上の追加的な特徴若しくはコンポーネントを含むことができ、又は上述の特徴の一以上を省略することもできる。さらに、本開示の所定の実施形態に関連する利点は、当該実施形態の文脈において記載されているが、他の実施形態もまた当該利点を示すことができ、かつ、全ての実施形態が必ずしも本開示の範囲内となる当該利点を示すというわけではない。
【図１Ａ】
2014533137.tif 000003
【図１Ｂ】
2014533137.tif 000004
【図１Ｃ】
2014533137.tif 000005
【図２】
2014533137.tif 000006
【図３】
2014533137.tif 000007
【図４】
2014533137.tif 000008
【図５】
2014533137.tif 000009
【図６Ａ】
2014533137.tif 000010
【図６Ｂ】
2014533137.tif 000011
【図６Ｃ】
2014533137.tif 000012
【図７Ａ】
2014533137.tif 000013
【図７Ｂ】
2014533137.tif 000014
【図７Ｃ】
2014533137.tif 000015
【図７Ｄ】
2014533137.tif 000016
【図８Ａ】
2014533137.tif 000017
【図８Ｂ】
2014533137.tif 000018
【図８Ｃ】
2014533137.tif 000019
【図９】
2014533137.tif 000020
【図１０Ａ】
2014533137.tif 000021
【図１０Ｂ】
2014533137.tif 000022
【図１１Ａ】
2014533137.tif 000023
【図１１Ｂ】
2014533137.tif 000024
【図１２Ａ】
2014533137.tif 000025
【図１２Ｂ】
2014533137.tif 000026
【図１３Ａ】
2014533137.tif 000027
【図１３Ｂ】
2014533137.tif 000028
【国際調査報告】
2014533137.tif 000029
2014533137.tif 000030
2014533137.tif 000031
2014533137.tif 000032